(57)【要約】【課題】一例として、筐体の重量がより軽減されやすくまた複数の電池セルがより冷却されやすい構成の電池モジュールを得る。【解決手段】実施形態にかかる電池モジュールは、一例として、電池セルと、筐体と、弾性部材と、を備える。複数の電池セルは、第一の方向に並んでいる。筐体は、複数の電池セルを覆う壁部を有する。弾性部材は、壁部の内面に設けられ、電池セルの外面と接触する。壁部は、第一の方向に沿って延びる複数の第一の部材と、第一の方向と交差する第二の方向に沿って延びるとともに第一の部材と繋がった複数の第二の部材と、が格子状に構成された第一の部分を有し、第一の部分には、二つの第一の部材と二つの第二の部材とで囲まれて電池セルの外面を露出させる第一の開口部が設けられる。【選択図】図１
2015097177.tif 000002
【特許請求の範囲】
【請求項１】
第一の方向に並んだ複数の電池セルと、
複数の前記電池セルを覆う壁部を有した筐体と、
前記壁部の内面に設けられ、前記電池セルの外面と接触する弾性部材と、
を備え、
前記壁部は、
前記第一の方向に沿って延びる複数の第一の部材と、前記第一の方向と交差する第二の方向に沿って延びるとともに前記第一の部材と繋がった複数の第二の部材と、が格子状に構成された第一の部分を有し、
前記第一の部分には、二つの前記第一の部材と二つの前記第二の部材とで囲まれて前記電池セルの外面を露出させる第一の開口部が設けられた、電池モジュール。
【請求項２】
前記壁部は、前記筐体の側壁部および底壁部のうち少なくともいずれか一方である、請求項１に記載の電池モジュール。
【請求項３】
前記壁部には、前記第一の方向に沿って延びるとともに当該壁部の一端部と他端部とに亘った凹部が設けられ、
前記凹部の底部に前記第一の開口部が設けられた、請求項１または２に記載の電池モジュール。
【請求項４】
前記第二の部材は、前記電池セルと対向する第一の面と、前記第一の面の前記電池セルとは反対側に位置され前記第一の面よりも前記第一の方向に沿う幅が狭い第二の面と、前記第一の面と前記第二の面とに亘り前記電池セルの外面に対して傾斜した第三の面と、を有した、請求項１〜３のうちいずれか１項に記載の電池モジュール。
【請求項５】
前記第二の部材は、前記第二の方向に沿う視線で台形状の断面を有した、請求項４に記載の電池モジュール。
【請求項６】
前記第二の部材は、第一の梁部と、当該第一の梁部よりも前記第一の方向に沿う幅が狭い第二の梁部と、を有した、請求項１〜５のうちいずれか１項に記載の電池モジュール。
【請求項７】
前記第二の部材は、前記電池セルの外面と近接して位置された第三の梁部と、前記第一の方向に隣り合う二つの前記第三の梁部の間に設けられるとともに前記電池セルの外面と離間して位置された第四の梁部と、を有した請求項１〜５のうちいずれか１項に記載の電池モジュール。
【請求項８】
前記第一の部材の、前記第四の梁部と前記電池セルの外面との間となる位置に、前記第二の方向に貫通した第二の開口部が設けられた、請求項７に記載の電池モジュール。
【請求項９】
前記第一の開口部に挿入され前記電池セルの外面と接触する突出部が設けられた第三の部材をさらに備え、
前記第三の部材が、前記筐体よりも熱伝導率が高い材料で構成された、請求項１〜８のうちいずれか１項に記載の電池モジュール。
【請求項１０】
前記弾性部材が、発泡性の合成樹脂材料で構成された、請求項１〜９のうちいずれか１項に記載の電池モジュール。
【発明の詳細な説明】
【技術分野】
【０００１】
本発明の実施形態は、電池モジュールに関する。
【背景技術】
【０００２】
従来、筐体と複数の電池セルとの間に、弾性部材が設けられるとともに風を流す空間部が形成された電池モジュールが知られている。
【先行技術文献】
【特許文献】
【０００３】
【特許文献１】特許第５０９４１７５号公報
【発明の概要】
【発明が解決しようとする課題】
【０００４】
電池モジュールでは、一例としては、筐体の重量がより軽減されやすくまた複数の電池セルがより冷却されやすい構成が得られれば、好ましい。
【課題を解決するための手段】
【０００５】
実施形態にかかる電池モジュールは、一例として、電池セルと、筐体と、弾性部材と、を備える。複数の電池セルは、第一の方向に並んでいる。筐体は、複数の電池セルを覆う壁部を有する。弾性部材は、壁部の内面に設けられ、電池セルの外面と接触する。壁部は、第一の方向に沿って延びる複数の第一の部材と、第一の方向と交差する第二の方向に沿って延びるとともに第一の部材と繋がった複数の第二の部材と、が格子状に構成された第一の部分を有し、第一の部分には、二つの第一の部材と二つの第二の部材とで囲まれて電池セルの外面を露出させる第一の開口部が設けられる。
【図面の簡単な説明】
【０００６】
【図１】図１は、第１実施形態にかかる電池モジュールの一例を示す斜視図である。
【図２】図２は、第１実施形態にかかる電池モジュールの一例の第一筐体部材を取り外した状態の斜視図である。
【図３】図３は、第１実施形態にかかる電池モジュールの一例の電池セルの斜視図である。
【図４】図４は、第１実施形態にかかる電池モジュールの一例の第一筐体部材ならびに電池セルを取り外した状態の斜視図である。
【図５】図５は、第１実施形態にかかる電池モジュールの一例を示す側面図である。
【図６】図６は、第２実施形態にかかる電池モジュールの一例を示す斜視図である。
【図７】図７は、図６のVII-VII断面図である。
【図８】図８は、第３実施形態にかかる電池モジュールの一例を示す斜視図である。
【図９】図９は、図８のIX-IX断面図である。
【図１０】図１０は、第４実施形態にかかる電池モジュールの一例を示す斜視図である。
【発明を実施するための形態】
【０００７】
以下、図面を参照して、実施形態について説明する。なお、以下の例示的な複数の実施形態には、同様の構成要素が含まれている。よって、以下では、同様の構成要素には共通の符号が付されるとともに、重複する説明が省略される。また、以下の各図では、便宜上、方向が規定されている。Ｘ方向は、筐体３の長手方向（複数の電池セル２が並ぶ方向、電池セル２の厚さ方向、第一の方向）、Ｙ方向は、筐体３の短手方向（電池セル２の幅方向、第一の方向と交差する第二の方向）、Ｚ方向は、筐体３の上下方向（電池セル２の高さ方向、第一の方向と交差する第二の方向）である。Ｘ方向、Ｙ方向、およびＺ方向は、互いに直交している。
【０００８】
また、以下に示される実施形態の構成（技術的特徴）、ならびに当該構成によってもたらされる作用および結果（効果）は、あくまで一例である。本発明は、以下の実施形態に開示される構成以外によっても実現可能であるとともに、基本的な構成によって得られる種々の効果（派生的な効果も含む）のうち少なくとも一つを得ることが可能である。
【０００９】
＜第１実施形態＞
本実施形態では、一例として、図１〜図５に示されるように、電池モジュール１（組電池）は、複数（本実施形態では、一例として６個）の電池セル２（図２参照）と、筐体３と、弾性部材７（図４参照）と、を備える。複数の電池セル２は、筐体３の長手方向（Ｘ方向）に沿って一列に並んだ状態で、筐体３に収容されている。また、複数の電池セル２は、それぞれ正極端子２３および負極端子２４を有する。正極端子２３および負極端子２４は、筐体３に設けられた開口部（図示されず）ならびにバスバー１３に設けられた貫通孔１３ａを貫通し、バスバー１３に例えば溶接等されることで接合されている。電池モジュール１では、例えば、筐体３の長手方向（Ｘ方向）に隣接する二つの電池セル２の正極端子２３と負極端子２４とがバスバー１３を介して電気的に接続されるとともに、端部のバスバー１３に設けられた一対の出力端子部１４，１４を介して電力が取り出される。本実施形態では、このような電池モジュール１が複数個用いられ、各電池モジュール１が直列または並列に接続されて電池システム（図示されず）が構成されている。電池システムは、例えば、車両等に搭載されうる。
【００１０】
電池セル２は、一例として、Ｘ方向に薄い扁平な直方体状に構成されている。電池セル２は、例えば、リチウムイオン二次電池等で構成されうる。
【００１１】
また、電池セル２は、一例として、図３に示されるように、第一部材２１（ケース、下ケース）と、第二部材２２（カバー、蓋部、上ケース）と、を有する。第一部材２１は、一端側（上端側）が開放された直方体状の箱型に構成されている。第一部材２１の内部には、例えば、コイル状に捲回された正極、負極、および絶縁フィルムと、電解質とが設けられている。第二部材２２は、第一部材２１の開放された部分を塞ぎ、第一部材２１と一体化されている。第二部材２２には、正極端子２３と、負極端子２４と、弁部２５とが設けられている。正極端子２３および負極端子２４は、第一部材２１に収容された正極および負極にそれぞれ電気的に接続されている。弁部２５は、正極端子２３と負極端子２４との間に位置されている。弁部２５は、電池セル２内の圧力が閾値よりも高くなった場合に開放され、当該電池セル２内の圧力を低下させる。
【００１２】
また、電池セル２は、一例として、複数の外面２ａ〜２ｄを有する。外面２ａは、電池セル２の厚さ方向（Ｘ方向）と交差する方向（本実施形態では、一例として直交する方向、ＹＺ平面）に沿って延びた（拡がった）面である。外面２ｂは、電池セル２の幅方向（Ｙ方向）と交差する方向（本実施形態では、一例として直交する方向、ＸＺ平面）に沿って延びた（拡がった）面である。外面２ａおよび外面２ｂは、側面等と称されうる。また、外面２ａは、側面のうちの長辺部の一例であり、外面２ｂは、側面のうちの短辺部の一例である。また、外面２ｃ，２ｄは、いずれも、電池セル２の高さ方向（Ｚ方向）と交差する方向（本実施形態では、一例として直交する方向、ＸＹ平面）に沿って延びた（拡がった）面である。外面２ｃは、下面や、底面等と称されうる。また、外面２ｄは、上面や、天面等と称されうる。第一部材２１は、複数の外面２ａ〜２ｄのうち少なくとも外面２ａ〜２ｃを含む。また、第二部材２２は、複数の外面２ａ〜２ｄのうち少なくとも外面２ｄを含む。
【００１３】
複数の電池セル２は、図２に示されるように、それぞれの第二部材２２が同じ方向（本実施形態では、一例として上方向）を向いた姿勢で、筐体３の長手方向（Ｘ方向）に沿って並べられている。また、複数の電池セル２は、一例として、筐体３の長手方向（Ｘ方向）に沿う方向において、正極端子２３と負極端子２４とが交互に配置されるように並べられている。
【００１４】
筐体３は、一例として、Ｘ方向に長い直方体状に構成されている。筐体３は、図１に示されるように、複数の壁部３ａ〜３ｆを有する。壁部３ａおよび壁部３ｃは、いずれも、筐体３の長手方向（Ｘ方向）と交差する方向（本実施形態では、一例として直交する方向、ＹＺ平面）に沿って延びている（拡がっている）。壁部３ａおよび壁部３ｃは、筐体３の長手方向（Ｘ方向）に間隔をあけて設けられ、電池セル２の外面２ａと対向している（重ねられている）。壁部３ａと壁部３ｃとは略平行である。また、壁部３ｂおよび壁部３ｄは、いずれも、筐体３の短手方向（Ｙ方向）と交差する方向（本実施形態では、一例として直交する方向、ＸＺ平面）に沿って延びている（拡がっている）。壁部３ｂおよび壁部３ｄは、筐体３の短手方向（Ｙ方向）に間隔をあけて設けられ、電池セル２の外面２ｂと対向している（重ねられている）。壁部３ｂと壁部３ｄとは略平行である。壁部３ａ〜３ｄは、側壁部等と称されうる。また、壁部３ａ，３ｃは、側壁部のうちの短辺部の一例であり、壁部３ｂ，３ｄは、側壁部のうちの長辺部の一例である。また、壁部３ｅ，３ｆは、いずれも、筐体３の上下方向（Ｚ方向）と交差する方向（本実施形態では、一例として直交する方向、ＸＹ平面）に沿って延びている（拡がっている）。壁部３ｅ，３ｆは、筐体３の上下方向（Ｚ方向）に間隔をあけて設けられ、電池セル２の外面２ｃ，２ｄとそれぞれ対向している（重ねられている）。壁部３ｅと壁部３ｆとは略平行である。壁部３ｅは、下壁部や、底壁部等と称されうる。また、壁部３ｆは、上壁部や、天壁部等と称されうる。複数の壁部３ａ〜３ｆは、それぞれ、外面３ｈと、内面３ｉ（図４，７参照）と、を有する。
【００１５】
また、筐体３は、一例として、図４に示されるように、複数の壁部３ｇを有する。複数の壁部３ｇは、いずれも、筐体３の長手方向（Ｘ方向）と交差する方向（本実施形態では、一例として、直交する方向、ＹＺ平面）に沿って延びている（拡がっている）。また、複数の壁部３ｇは、いずれも、壁部３ａと壁部３ｃとの間に位置され、壁部３ｂと壁部３ｄとの間に亘っている。複数の壁部３ｇは、壁部３ａおよび壁部３ｃと略平行である。複数の壁部３ｇは、壁部３ａや壁部３ｃとともに筐体３の長手方向（Ｘ方向）に間隔をあけて設けられ、電池セル２の外面２ａと対向している（重ねられている）。そして、筐体３の長手方向（Ｘ方向）に隣接する二つの壁部３ｇ，３ｇの間や、壁部３ｇと壁部３ａとの間、壁部３ｇと壁部３ｃとの間には、電池セル２をそれぞれ収容する収容部６が設けられている。壁部３ｇは、隔壁部や、仕切壁、分離壁等と称されうる。また、壁部３ｇは、絶縁部の一例である。壁部３ｇは、第一亘面３ｍ（図４，７参照）と、第二亘面３ｎ（図４，７参照）と、を有する。筐体３内では、電池セル２と壁部３ｇとが交互に長手方向（Ｘ方向、電池セル２の厚さ方向）に積み重ねられている。
【００１６】
さらに、筐体３は、複数の部品（分割体）が組み合わせられて構成されることができる。具体的には、本実施形態では、一例として、筐体３は、少なくとも壁部３ｆを含む第一筐体部材４（カバー、蓋部、上ケース、図１参照）と、少なくとも壁部３ａ〜３ｅを含む第二筐体部材５（ケース、下ケース、図４参照）と、を有する。壁部３ｇは、第一筐体部材４および第二筐体部材５のうち少なくともいずれか一方（本実施形態では、一例として第二筐体部材５）に含まれる。第一筐体部材４は、第二筐体部材５の開放された部分を塞ぎ、第二筐体部材５と一体化される。第一筐体部材４や第二筐体部材５は、例えば、合成樹脂材料や、金属材料等で構成されうる。
【００１７】
また、本実施形態では、一例として、壁部３ｂ，３ｄ（側壁部）および壁部３ｅ（底壁部）のうち少なくともいずれか一つの壁部（本実施形態では、一例として三つの壁部３ｂ，３ｄ，３ｅ）には、第一の部分１１（格子状部分）が設けられている。第一の部分１１は、図４に示されるように、複数の第一の部材８と、複数の第二の部材９と、を有する。第一の部材８は、筐体３の長手方向（Ｘ方向、第一の方向）に沿って延びている。一方、第二の部材９は、壁部３ｂ，３ｄ（側壁部）の第一の部分１１では、筐体３の上下方向（Ｚ方向、第二の方向）に沿って延び、壁部３ｅ（底壁部）の第一の部分１１では、筐体３の短手方向（Ｙ方向、第二の方向）に沿って延びている。第一の部分１１は、これら第一の部材８と第二の部材９とが互いに交差しつつ繋がることにより、格子状に構成されている。なお、壁部３ｂ，３ｄの第一の部分１１では、複数の第一の部材８は、筐体３の高さ方向（Ｙ方向）に間隔をあけて互いに平行に設けられ、複数の第二の部材９は、筐体３の長手方向（Ｘ方向）に間隔をあけて互いに平行に設けられている。また、壁部３ｅの第一の部分１１では、複数の第一の部材８は、筐体３の短手方向（Ｙ方向）に間隔をあけて互いに平行に設けられ、複数の第二の部材９は、筐体３の長手方向（Ｘ方向）に間隔をあけて互いに平行に設けられている。
【００１８】
また、本実施形態では、一例として、第二の部材９は、第一の梁部９ａと、第二の梁部９ｂと、を有する。第二の梁部９ｂは、筐体３の長手方向（Ｘ方向、第一の方向）に沿う幅が、第一の梁部９ａよりも狭く（薄く）構成されている。第一の梁部９ａと第二の梁部９ｂとは、筐体３の長手方向（Ｘ方向、第一の方向）に沿って交互に配置されている。すなわち、長手方向（Ｘ方向、第一の方向）に隣接する二つの第一の梁部９ａ，９ａの間に第二の梁部９ｂが位置され、長手方向（Ｘ方向、第一の方向）に隣接する二つの第二の梁部９ｂ，９ｂの間に第一の梁部９ａが位置されている。
【００１９】
そして、本実施形態では、一例として、第一の部分１１には、二つの第一の部材８と二つの第二の部材９（第一の梁部９ａと第二の梁部９ｂ）とで囲まれた開口部１０（第一の開口部）が設けられている。具体的には、壁部３ｂ，３ｄ（側壁部）に設けられた開口部１０は、筐体３の短手方向（Ｙ方向）に沿って当該壁部３ｂ，３ｄを貫通する四角形状の貫通孔として構成されている。また、壁部３ｅ（底壁部）に設けられた開口部１０は、筐体３の上下方向（Ｚ方向）に沿って当該壁部３ｅを貫通する四角形状の貫通孔として構成されている。壁部３ｂや、壁部３ｄ、壁部３ｅには、一つの電池セル２に対して、それぞれ、複数（本実施形態では、一例として８個）の開口部１０が設けられている。すなわち、本実施形態では、一つの電池セル２に対して、合計２４個の開口部１０が設けられていることになる。壁部３ｂや、壁部３ｄに設けられた開口部１０からは、電池セル２の外面２ｂ（側面）が露出している。また、壁部３ｅに設けられた開口部１０からは、電池セル２の外面２ｃ（底面）が露出している。よって、本実施形態によれば、一例としては、電池モジュール１の外側を流れる風（空気流、空気）を、電池セル２の外面２ｂ，２ｃの少なくとも開口部１０から露出する領域（部分）に直接当てて、電池セル２を冷却することができる。
【００２０】
また、本実施形態では、一例として、壁部３ｂ，３ｄ（側壁部）および壁部３ｅ（底壁部）のうち少なくともいずれか一つの壁部（本実施形態では、一例として三つの壁部３ｂ，３ｄ，３ｅ）には、凹部１２（溝部、切欠部、通路、流路、空間部）が設けられている。凹部１２は、底部１２ａを有する。凹部１２は、壁部３ｂ，３ｄ，３ｅの外面３ｈに設けられ、筐体３内側（電池セル２側）に向けて凹んでいる。また、凹部１２は、筐体３の長手方向（Ｘ方向）に沿って延び、当該長手方向（Ｘ方向）の一端部３ｊと他端部３ｋとに亘っている。凹部１２は、一例として、筐体３の高さ方向（Ｚ方向）あるいは短手方向（Ｙ方向）に隣接する二つの第一の部材８と、底部１２ａとで構成されている。ここで、本実施形態では、一例として、開口部１０が、凹部１２の底部１２ａに設けられている。よって、本実施形態によれば、壁部３ｅが載置面（図示されず）に載置された場合や、壁部３ｂが他の電池モジュールの壁部（図示されず）と重なった場合でも、底部１２ａと載置面との間や、底部１２ａと他の電池モジュールの壁部との間に、空間部（通路、流路）を確保することができる。よって、本実施形態によれば、一例としては、開口部１０が塞がれるのが抑制されやすく、電池セル２の冷却効果が得られやすい。
【００２１】
また、本実施形態では、図４に示されるように、筐体３には、弾性部材７が設けられている。弾性部材７は、一例として、壁部３ａ〜３ｄ（側壁部）の内面３ｉと、壁部３ｇ（隔壁部）の第一亘面３ｍおよび第二亘面３ｎ（図７参照）と、に設けられている。弾性部材７は、電池セル２の外面２ａ，２ｂ（側面）と接触し、電池セル２と壁部３ａ〜３ｄ，３ｇとの間に介在して、当該電池セル２を保持する。弾性部材７は、発泡性の合成樹脂材料（発泡材料、例えば、発泡ウレタン等）で構成されている。よって、本実施形態によれば、一例としては、スプレーノズル等によって、発泡塗料を内面３ｉや、第一亘面３ｍ、第二亘面３ｎ等に筐体３内側から塗布することで、弾性部材７を構成することができる。よって、一例としては、電池セル２を筐体３内側に保持（固定）する弾性部材７が、より容易に得られやすい。弾性部材７は、筐体３から電池セル２に伝達される外力を緩衝する緩衝部材として機能することができる。
【００２２】
以上のように、本実施形態では、一例として、筐体３の壁部（例えば、壁部３ｂ）は、電池セル２の外面（例えば、外面２ｂ）を露出させる開口部１０（第一の開口部）が設けられた格子状の第一の部分１１を有する。よって、本実施形態によれば、一例としては、電池モジュール１の外側を流れる風を、電池セル２の外面（例えば、外面２ｂ）の少なくとも開口部１０から露出する領域（部分）に当てて、電池セル２を冷却することができる。また、一例としては、開口部１０が設けられている分、壁部（例えば、壁部３ｂ）ひいては筐体３がより軽量に構成されやすい。また、一例としては、従来の構成と比べて、筐体３（壁部）と電池セル２との間の隙間がより小さく（狭く）なり、筐体３がより小型化される場合がある。また、一例としては、筐体３の壁部（例えば、壁部３ｂ）に複数の開口部１０が設けられているため、壁部（例えば、壁部３ｂ）にスプレーノズルで吹き付けて弾性部材７を形成する場合に、局所的に弾性部材７が溜まって厚くなるのが抑制されやすい。
【００２３】
また、本実施形態では、一例として、筐体３の長手方向（Ｘ方向、第一の方向）に沿って延びる壁部３ｂ，３ｄ（側壁部）および壁部３ｅ（底壁部）のうち少なくともいずれか一つ（本実施形態では、一例として壁部３ｂ，３ｄおよび壁部３ｅ）に、第一の部分１１（開口部１０）が設けられている。よって、本実施形態によれば、一例としては、筐体３の長手方向（Ｘ方向、第一の方向）に並んだ複数の電池セル２が、より効果的に冷却されやすい。
【００２４】
また、本実施形態では、一例として、筐体３の短手方向（Ｙ方向、第二の方向）に沿って延びる壁部３ａ，３ｃ（側壁部）には、第一の部分１１（開口部１０）は設けられていない。よって、本実施形態によれば、一例としては、筐体３の長手方向（Ｘ方向、第一の方向）の一端部３ｊおよび他端部３ｋに位置された電池セル２と、その他の電池セル２との温度ばらつきが抑制されやすい。よって、一例としては、電池モジュール１の寿命が延びやすい。また、一例としては、電池モジュール１（筐体３）の剛性や強度が高まりやすい。
【００２５】
また、本実施形態では、一例として、開口部１０は、筐体３の長手方向（Ｘ方向、第一の方向）の一端部３ｊと他端部３ｋとに亘った凹部１２の底部１２ａに設けられている。よって、本実施形態によれば、一例としては、壁部３ｅ（底壁部）が載置面に載置された場合や、壁部３ｂ（側壁部）が他の電池モジュールの壁部と重なった場合でも、底部１２ａと載置面との間や、底部１２ａと他の電池モジュールの壁部との間に、空間部（通路、流路）を確保することができる。よって、一例としては、開口部１０が塞がれるのが抑制されやすく、電池セル２の冷却効果が得られやすい。また、一例としては、凹部１２を構成する第一の部材８によって、風の整流効果（Ｘ方向に風を整流する効果）が高まりやすい。よって、一例としては、場所による冷却風の流量のばらつきひいては冷却効果のばらつきが生じ難い場合がある。
【００２６】
また、本実施形態では、一例として、第二の部材９は、第一の梁部９ａと、第一の梁部９ａよりも筐体３の長手方向（Ｘ方向、第一の方向）に沿う幅が狭い第二の梁部９ｂと、を有する。よって、本実施形態によれば、一例としては、第一の梁部９ａのみが長手方向（Ｘ方向、第一の方向）に間隔をあけて互いに平行に設けられる構成と比べて、開口部１０からの異物（例えば、手指、工具等）の進入が抑制されつつ、電池モジュール１（筐体３）が軽量化されやすい。
【００２７】
また、本実施形態では、一例として、壁部３ａ〜３ｄ（側壁部）の内面３ｉと、壁部３ｇ（隔壁部）の第一亘面３ｍおよび第二亘面３ｎとに、発泡性の合成樹脂材料で構成された弾性部材７が設けられている。よって、本実施形態によれば、一例としては、筐体３に圧力をかけて電池セル２を固定する構成や、内面３ｉに接着剤を塗布して電池セル２を固定する構成と比べて、電池セル２の固定構造が、より容易にあるいはより簡素な構成として得られやすい。また、一例としては、弾性部材７によって電池セル２の緩衝効果が得られやすい。また、一例としては、弾性部材７が無く電池セル２と筐体３（壁部）との間に隙間が設けられる場合に比べて、電池セル２が筐体３によりしっかりと保持されやすい。
【００２８】
なお、本実施形態では、一例として、壁部３ａ〜３ｄの内面３ｉに、全体的に弾性部材７が設けられているが、壁部３ａ〜３ｄの内面３ｉに、部分的に弾性部材７が設けられてもよい。例えば、壁部３ａおよび壁部３ｃの内面３ｉには、弾性部材７が設けられない構成や、内面３ｉの全体には弾性部材７が設けられず、内面３ｉの一部（例えば、Ｚ方向の一端部および他端部）に弾性部材７が設けられてもよい。また、壁部３ｇにあっても、当該壁部３ｇの第一亘面３ｍおよび第二亘面３ｎの全体には弾性部材７が設けられず、内面３ｉの一部（例えば、Ｚ方向の一端部および他端部）に弾性部材７が設けられてもよい。また、本実施形態では、一例として、第二の部材９は、筐体３の長手方向（Ｘ方向）に沿って交互に配置される第一の梁部９ａおよび第二の梁部９ｂを有したが、開口部１０の開口面積を広げるために、第二の梁部９ｂを設けなくてもよい。
【００２９】
＜第２実施形態＞
図６，７に示される実施形態にかかる電池モジュール１Ａは、上記第１実施形態の電池モジュール１と同様の構成を備えている。よって、本実施形態によっても、上記第１実施形態と同様の構成に基づく同様の結果（効果）が得られる。
【００３０】
ただし、本実施形態では、一例として、図７に示されるように、第二の部材９が、電池セル２の外面２ｂに対して傾斜した面（第三の面９ｚ）を有している。具体的には、傾斜した面（第三の面９ｚ）は、一例として、第二の部材９の第一の梁部９ａに設けられている。第一の梁部９ａは、第一の面９ｘと、第二の面９ｙと、第三の面９ｚと、を有する。第一の面９ｘは、電池セル２の外面２ｂと対向する面であり、内面等と称されうる。第二の面９ｙは、第一の面９ｘの電池セル２とは反対側に位置された面であり、外面等と称されうる。第二の面９ｙは、第一の面９ｘよりも筐体３の長手方向（Ｘ方向、第一の方向）に沿う幅が狭く（薄く）構成されている。第三の面９ｚは、第一の面９ｘと第二の面９ｙとに亘った面であり、側面等と称されうる。第三の面９ｚは、第二の面９ｙから第一の面９ｘに向けて広がっている。このような第一の面９ｘ、第二の面９ｙおよび第三の面９ｚによって、本実施形態では、一例として、第一の梁部９ａは、筐体３の上下方向（Ｚ方向、第二の方向）に沿う視線で、台形状の断面を有している。よって、本実施形態によれば、一例としては、電池モジュール１Ａの外側を流れる風が、傾斜した第三の面９ｚに沿って、電池セル２の外面２ｂに当たりやすくなる。よって、一例としては、電池セル２がより効果的に冷却されやすい。また、一例としては、電池モジュール１（筐体３）が軽量化されやすい。
【００３１】
なお、本実施形態では、一例として、第一の梁部９ａに傾斜した第三の面９ｚが設けられたが、第二の梁部９ｂに傾斜した第三の面９ｚが設けられてもよい。また、本実施形態では、一例として、壁部３ｂに設けられた第一の梁部９ａのみが図示されているが、壁部３ｄの第一の梁部９ａや、壁部９ｅの第一の梁部９ａにあっても、外面２ｂあるいは外面２ｃに対して傾斜した第三の面９ｚが設けられることができる。
【００３２】
＜第３実施形態＞
図８，９に示される実施形態にかかる電池モジュール１Ｂは、上記第１実施形態の電池モジュール１と同様の構成を備えている。よって、本実施形態によっても、上記第１実施形態と同様の構成に基づく同様の結果（効果）が得られる。
【００３３】
ただし、本実施形態では、一例として、図９に示されるように、第二の部材９は、第三の梁部９ｃと、第四の梁部９ｄと、を有する。第三の梁部９ｃは、電池セル２の外面２ｂと近接して位置された部分であり、凹部１２の底部１２ａを構成している。第四の梁部９ｄは、電池セル２の外面２ｂと離間して位置された部分である。すなわち、第四の梁部９ｄは、第三の梁部９ｃの電池セル２とは反対側に位置されている。第四の梁部９ｄは、筐体３の長手方向（Ｘ方向）に隣接する二つの第三の梁部９ｃ，９ｃの間に設けられ、開口部１０（第一の開口部）と対向している。また、壁部３ｂには、壁部４０（他の電池モジュールの壁部、あるいは電池システムの壁部）が重ねられる。本実施形態によれば、底部１２ａに沿って長手方向（Ｘ方向）に流れる風（風の流れをＡで示す、図９参照）が、第四の梁部９ｄの内側（電池セル２側）を通過することになる。よって、本実施形態によれば、一例としては、電池セル２の外面２ｂに風が当たりやすくなり、長手方向（Ｘ方向）に沿って並んだ複数の電池セル２が、より効果的に冷却されやすい。また、一例としては、開口部１０の電池セル２とは反対側に第四の梁部９ｄが対向しているため、開口部１０からの異物（例えば、手指、工具等）の進入が抑制されやすい。
【００３４】
また、本実施形態では、一例として、第一の部材８には、開口部２０（第二の開口部、図９参照）が設けられている。開口部２０は、第四の梁部９ｄと電池セル２の外面２ｂとの間に位置され、筐体３の上下方向（Ｚ方向、第一の方向と交差する第二の方向）に沿って第一の部材８を貫通している。また、図８に示されるように、開口部２０は、一例として、上下方向（Ｚ方向）に沿って筐体３を貫通し、筐体３（壁部３ｆ）の外面３ｈに露出することができる。本実施形態によれば、第四の梁部９ｄと電池セル２の外面２ｂとの間に開口部２０が一部を構成する空気通路が形成される。よって、本実施形態によれば、一例としては、電池セル２がより冷却されやすい。また、当該通路は、上下方向に沿って延びているため、当該通路における対流による冷却効果が得られやすい。すなわち、電池セル２の外面２ｂと接触して温められた空気が上方へ流れ、筐体３内に滞留するのが抑制されやすい。よって、一例としては、送風機等で風を流さない場合等にあっても、冷却効果が得られやすい場合がある。
【００３５】
なお、本実施形態では、一例として、壁部３ｂに設けられた第三の梁部９ｃ、第四の梁部９ｄおよび開口部２０のみが図示されているが、壁部３ｄや、壁部３ｅにあっても、第三の梁部９ｃ、第四の梁部９ｄおよび開口部２０を設けることができる。壁部３ｅに開口部２０が設けられた場合、開口部２０は、筐体３の短手方向（Ｙ方向、第一の方向と交差する第二の方向）に沿って筐体３を貫通し、筐体３（壁部３ｂ，３ｄ）の外面３ｈに露出することができる。また、本実施形態では、一例として、第三の梁部９ｃに、傾斜した第三の面９ｚを設けることができる。
【００３６】
＜第４実施形態＞
図１０に示される実施形態にかかる電池モジュール１Ｃは、上記第１実施形態の電池モジュール１と同様の構成を備えている。よって、本実施形態によっても、上記第１実施形態と同様の構成に基づく同様の結果（効果）が得られる。
【００３７】
ただし、本実施形態では、一例として、図１０に示されるように、第三の部材３０（中間部材、伝熱部材）を備えている。第三の部材３０は、電池モジュール１と電池システムの壁部（図示されず）との間に介在される部材である。第三の部材３０は、一例として、筐体３の壁部３ｅと対向して設けられている。第三の部材３０は、板状の基部３０ａと、基部３０ａから突出した複数の突出部３０ｂと、を有する。複数の突出部３０ｂは、開口部１０に挿入（係合、嵌合）され、電池セル２の外面２ｃと接触する。第三の部材３０は、筐体３よりも熱伝導率が高い材料（例えば、金属材料等）によって構成されている。また、第三の部材３０は、例えば、絶縁体によってコーティングされ、絶縁処理が施されている。よって、本実施形態によれば、一例としては、電池セル２の熱を、第三の部材３０、あるいは第三の部材３０を介した熱伝達により、電池システムの壁部（図示されず）に逃がすことができる。よって、一例としては、電池セル２の熱が、筐体３、あるいは筐体３を介して電池システムの壁部（図示されず）に熱伝達される構成と比べて、電池セル２の冷却効果がより一層高まりやすい。
【００３８】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【符号の説明】
【００３９】
１…電池モジュール、２…電池セル、２ａ〜２ｄ…外面（電池セルの外面）、３…筐体、３ａ〜３ｆ…壁部、３ｉ…内面（壁部の内面）、４…第一筐体部材、５…第二筐体部材、６…収容部、７…弾性部材、８…第一の部材、９…第二の部材、９ａ…第一の梁部、９ｂ…第二の梁部、９ｃ…第三の梁部、９ｄ…第四の梁部、９ｘ…第一の面、９ｙ…第二の面、９ｚ…第三の面、１０…開口部（第一の開口部）、１１…第一の部分、１２…凹部、１２ａ…底部、２０…開口部（第二の開口部）、３０…第三の部材、３０ａ…基部、３０ｂ…突出部、Ｘ…筐体の長手方向（第一の方向）、Ｙ…筐体の短手方向（第二の方向）、Ｚ…筐体の上下方向（第二の方向）。
【図１】
2015097177.tif 000003
【図２】
2015097177.tif 000004
【図３】
2015097177.tif 000005
【図４】
2015097177.tif 000006
【図５】
2015097177.tif 000007
【図６】
2015097177.tif 000008
【図７】
2015097177.tif 000009
【図８】
2015097177.tif 000010
【図９】
2015097177.tif 000011
【図１０】
2015097177.tif 000012